(57)【要約】【課題】エアバッグの膨張展開時に座席の側部に展開する張力布を備える構成において乗員拘束性能の更なる向上を図る。【解決手段】本発明にかかる乗員拘束装置の構成は、一対のエアバッグと、一対のエアバッグの少なくとも一方の内部に収容され少なくとも一方のエアバッグと連通していて少なくとも一方のエアバッグの内部で乗員の胴部の側方に膨張展開するインナバッグと、収納されている一対のエアバッグそれぞれの乗員とは反対側を通って座席のシートバック内からシートクッション内にわたって収納されている一対の張力布とを備え、インナバッグは、少なくとも一方のエアバッグよりも先に膨張展開を完了し、一対の張力布は、一対のエアバッグの膨張展開によって座席の側部に展開し、シートバックからシートクッションまで張り渡されて一対のエアバッグの乗員とは反対側の面を保持することを特徴とする。【選択図】図２
2020080050.tif 000002
【特許請求の範囲】
【請求項１】
車両の座席に着座した乗員を拘束する乗員拘束装置であって、
当該乗員拘束装置は、
前記座席のシートバック内に収納されていて該座席に着座した乗員の側方の両側でそれぞれ膨張展開する一対のエアバッグと、
前記一対のエアバッグの少なくとも一方の内部に収容され該少なくとも一方のエアバッグと連通していて該少なくとも一方のエアバッグの内部で前記乗員の胴部の側方に膨張展開するインナバッグと、
前記収納されている一対のエアバッグそれぞれの前記乗員とは反対側を通って前記座席のシートバック内から前記シートクッション内にわたって収納されている一対の張力布とを備え、
前記インナバッグは、前記少なくとも一方のエアバッグよりも先に膨張展開を完了し、
前記一対の張力布は、前記一対のエアバッグの膨張展開によって前記座席の側部に展開し、前記シートバックから前記シートクッションまで張り渡されて該一対のエアバッグの前記乗員とは反対側の面を保持することを特徴とする乗員拘束装置。
【請求項２】
前記少なくとも一方のエアバッグの膨張展開時の側面視において、前記インナバッグの前端は前記一対の張力布の少なくとも一方と重なる位置または該重なる位置より後方に配置されることを特徴とする請求項１に記載の乗員拘束装置。
【請求項３】
車両の座席に着座した乗員を拘束する乗員拘束装置であって、
当該乗員拘束装置は、
前記座席のシートバック内に収納されていて該座席に着座した乗員の側方の両側でそれぞれ膨張展開する一対のエアバッグと、
前記一対のエアバッグの少なくとも一方の内部に配置され該少なくとも一方のエアバッグを前後に区画する隔壁と、
前記隔壁に形成された連通孔と、
前記収納されている一対のエアバッグそれぞれの前記乗員とは反対側を通って前記座席のシートバック内から前記シートクッション内にわたって収納されている一対の張力布とを備え、
前記少なくとも一方のエアバッグは、前記隔壁よりも後方の空間が該隔壁よりも前方の空間よりも先に膨張展開を完了し、
前記一対の張力布は、前記一対のエアバッグの膨張展開によって前記座席の側部に展開し、前記シートバックから前記シートクッションまで張り渡されて該一対のエアバッグの前記乗員とは反対側の面を保持することを特徴とする乗員拘束装置。
【請求項４】
前記少なくとも一方のエアバッグの膨張展開時の側面視において、前記隔壁は前記一対の張力布の少なくとも一方と重なる位置または該重なる位置より後方に配置されることを特徴とする請求項３に記載の乗員拘束装置。
【請求項５】
前記少なくとも一方のエアバッグは、前記乗員のニアサイドに位置しているエアバッグを含むことを特徴する請求項１から４のいずれか１項に記載の乗員拘束装置。
【請求項６】
前記一対の張力布は、前記座席の表皮を開裂することにより該座席の側部に展開することを特徴とする請求項１から５のいずれか１項に記載の乗員拘束装置。
【請求項７】
当該乗員拘束装置は、前記座席の側部に配置され前記一対のエアバッグ、前記一対の張力布を収容する一対のケースを備え、
前記一対の張力布は、前記一対のケースから前記座席の側部に展開することを特徴とする請求項１から５のいずれか１項に記載の乗員拘束装置。
【発明の詳細な説明】
【技術分野】
【０００１】
本発明は、車両の座席に着座した乗員を拘束する乗員拘束装置に関するものである。
【背景技術】
【０００２】
近年の車両にはエアバッグ装置がほぼ標準装備されている。エアバッグ装置は、車両衝突などの緊急時に作動する安全装置であって、ガス圧で膨張展開して乗員を受け止めて保護する。エアバッグ装置には、設置箇所や用途に応じて様々な種類がある。例えば特許文献１の乗員拘束装置では、座席の両側の側部に乗員のすぐ脇へ膨張展開するサイドエアバッグが設けられている。【０００３】
特に特許文献１の乗員拘束装置では、エアバッグの膨張展開時に張力を与えられてエアバッグとシートクッションの両側面との間に広がる張力布を設けている。これにより、張力布によってエアバッグの移動を規制することができる。したがって、エアバッグによる乗員拘束性能を高めることが可能となる。
【先行技術文献】
【特許文献】
【０００４】
【特許文献１】国際公開第２０１６／０３９１６０号
【発明の概要】
【発明が解決しようとする課題】
【０００５】
特許文献１の乗員拘束装置によれば、乗員から離れる方向、特に左右方向へのエアバッグの移動を張力布によって好適に規制することができ、エアバッグによる乗員拘束性能が飛躍的に高まった。しかしながら、乗員拘束装置には、乗員拘束性能の向上が常に求められている。このため、発明者らは特許文献１の技術の更なる改良について検討した。【０００６】
本発明は、このような課題に鑑み、エアバッグの膨張展開時に座席の側部に展開する張力布を備える構成において乗員拘束性能の更なる向上を図ることが可能な乗員拘束装置を提供することを目的とする。
【課題を解決するための手段】
【０００７】
上記課題を解決するために、本発明にかかる乗員拘束装置の代表的な構成は、当該乗員拘束装置は、座席のシートバック内に収納されていて座席に着座した乗員の側方の両側でそれぞれ膨張展開する一対のエアバッグと、一対のエアバッグの少なくとも一方の内部に収容され少なくとも一方のエアバッグと連通していて少なくとも一方のエアバッグの内部で乗員の胴部の側方に膨張展開するインナバッグと、収納されている一対のエアバッグそれぞれの乗員とは反対側を通って座席のシートバック内からシートクッション内にわたって収納されている一対の張力布とを備え、インナバッグは、少なくとも一方のエアバッグよりも先に膨張展開を完了し、一対の張力布は、一対のエアバッグの膨張展開によって座席の側部に展開し、シートバックからシートクッションまで張り渡されて一対のエアバッグの乗員とは反対側の面を保持することを特徴とする。【０００８】
上記構成によれば、膨張展開したエアバッグが張力布によって乗員に対して付勢される。これにより、エアバッグの乗員から離れる方向への移動を規制することができ、乗員をより確実に拘束することが可能となる。また上記構成では、エアバッグの内部にインナバッグが収容される。インナバッグは、エアバッグ内に収容されるためエアバッグよりも容量が小さく、膨張展開するためのガスの量が少ない。したがって、インナバッグは、エアバッグよりも早期に膨張が完了する。このため、衝突時、特に側突時に乗員の胴部を迅速に拘束することができ、乗員拘束性能の更なる向上を図ることが可能となる。【０００９】
上記少なくとも一方のエアバッグの膨張展開時の側面視において、インナバッグの前端は一対の張力布の少なくとも一方と重なる位置または重なる位置より後方に配置されるとよい。かかる構成によれば、張力布がインナバッグを跨がないため、張力布がインナバッグの膨張展開を阻害することがない。したがって、上述した効果が確実に得られる。【００１０】
上記課題を解決するために、本発明にかかる乗員拘束装置の他の構成は、車両の座席に着座した乗員を拘束する乗員拘束装置であって、当該乗員拘束装置は、座席のシートバック内に収納されていて座席に着座した乗員の側方の両側でそれぞれ膨張展開する一対のエアバッグと、一対のエアバッグの少なくとも一方の内部に配置され少なくとも一方のエアバッグを前後に区画する隔壁と、隔壁に形成された連通孔と、収納されている一対のエアバッグそれぞれの乗員とは反対側を通って座席のシートバック内からシートクッション内にわたって収納されている一対の張力布とを備え、少なくとも一方のエアバッグは、隔壁よりも後方の空間が隔壁よりも前方の空間よりも先に膨張展開を完了し、一対の張力布は、一対のエアバッグの膨張展開によって座席の側部に展開し、シートバックからシートクッションまで張り渡されて一対のエアバッグの乗員とは反対側の面を保持することを特徴とする。【００１１】
上記構成によっても、膨張展開したエアバッグが張力布によって乗員に対して付勢される。これにより、エアバッグの乗員から離れる方向への移動を規制することができ、乗員をより確実に拘束することが可能となる。また上記構成では、エアバッグの内部は隔壁によって前後方向で２つの空間に仕切られている。以下、エアバッグにおいて、隔壁よりも前方の空間を前チャンバと称し、隔壁よりも後方の空間を後チャンバと称する。後チャンバは、乗員の胴部の側方に位置し、前チャンバよりも先に膨張展開する。これにより、衝突時、特に側突時に乗員の胴部を迅速に拘束することができ、乗員拘束性能の更なる向上を図ることが可能となる。【００１２】
上記少なくとも一方のエアバッグの膨張展開時の側面視において、隔壁は一対の張力布の少なくとも一方と重なる位置または重なる位置より後方に配置されるとよい。これにより、張力布が後チャンバを跨がないため、張力布が後チャンバの膨張展開を阻害することがない。したがって、上述した効果が確実に得られる。【００１３】
上記少なくとも一方のエアバッグは、乗員のニアサイドに位置しているエアバッグを含むとよい。これにより、側突時の乗員と車体との接触を好適に防ぐことが可能となる。なお、ニアサイドとは、座席に着座した乗員の左右両側部のうち、車体側の側部であり、ファーサイドとは、座席に着座した乗員の左右両側部のうち、車体側ではない側部である。【００１４】
上記一対の張力布は、座席の表皮を開裂することにより座席の側部に展開するとよい。または当該乗員拘束装置は、座席の側部に配置され一対のエアバッグ、一対の張力布を収容する一対のケースを備え、一対の張力布は、一対のケースから座席の側部に展開するとよい。いずれの構成によっても、上述した効果を良好に得ることが可能となる。
【発明の効果】
【００１５】
本発明によれば、エアバッグの膨張展開時に座席の側部に展開する張力布を備える構成において乗員拘束性能の更なる向上を図ることが可能な乗員拘束装置を提供することができる。
【図面の簡単な説明】
【００１６】
【図１】第１実施形態にかかる乗員拘束装置を例示する図である。
【図２】図１のエアバッグの膨張展開時の状態を例示する図である。
【図３】図１のエアバッグの膨張展開時の状態を例示する図である。
【図４】図１のエアバッグの膨張展開時の状態を例示する図である。
【図５】第２実施形態にかかる乗員拘束装置を例示する図である。
【図６】第２実施形態にかかる乗員拘束装置を例示する図である。
【図７】第２実施形態にかかる乗員拘束装置を例示する図である。
【図８】本実施形態の乗員拘束装置の他の例を説明する図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
なお、本実施形態においては、乗員が正規の姿勢で座席に着座した際に、乗員が向いている方向を前方、その反対方向を後方と称する。また乗員が正規の姿勢で座席に着座した際に、乗員の右側を右方向、乗員の左側を左方向と称する。更に、乗員が正規の姿勢で着座した際に、乗員の頭部方向を上方、乗員の腰部方向を下方と称する。そして、以下の説明において用いる図面では、必要に応じて、上述した乗員を基準とした前後左右上下方向を、Ｆｒ、Ｒｒ、Ｌ、Ｒ、Ｕｐ、Ｄｏｗｎと示す。
【００１９】
（第１実施形態）
図１は、第１実施形態にかかる乗員拘束装置１００を例示する図である。理解を容易にするために、図１では、座席１１０の内部に収納されている部材を仮想線にて示している。また図１では、エアバッグが非膨張展開時の座席を例示している。
【００２０】
本実施形態の乗員拘束装置１００は、座席１１０に着座した乗員を拘束するための装置である。図１に例示するように、本実施形態の乗員拘束装置１００は、車両（全体は不図示）の座席１１０、一対のエアバッグ１２０ａ・１２０ｂ、および一対の張力布１３０ａ・１３０ｂを備える。座席１１０は、乗員の上半身を支持するシートバック１１２を備える。シートバック１１２の下方には乗員が着座するシートクッション１１４が設けられている。シートバックの上方には乗員の頭部を支持するヘッドレスト１１６が設けられている。
【００２１】
一対のエアバッグ１２０ａ・１２０ｂ（サイドエアバッグ）は、図１に例示するように座席１１０のシートバック１１２の左右両側の内部にそれぞれ収納され、カバー１１８によって覆われている。カバー１１８は、座席１１０の表皮の一部を構成している。一対のエアバッグ１２０ａ・１２０ｂは、車両の衝突時等に、座席１１０に着座した乗員の両側方でそれぞれ膨張展開する。なお、本実施形態では、カバー１１８が座席の表皮と一体となっている構成を例示したが、これに限定するものではなく、座席の表皮とカバーとを別体としてもよい。
【００２２】
一対の張力布１３０ａ・１３０ｂは、本実施形態ではエアバッグ１２０ａ・１２０ｂそれぞれに対して設けられる。一対の張力布１３０ａ・１３０ｂは、収納されている一対のエアバッグ１２０ａ・１２０ｂそれぞれの乗員とは反対側を通って座席１１０のシートバック１１２内からシートクッション１１４内にわたって収納されている。
【００２３】
図２、図３および図４は、図１のエアバッグ１２０ａ・１２０ｂの膨張展開時の状態を例示する図である。図２（ａ）および（ｂ）は、図１に例示する座席１１０に乗員Ｐが着座し、エアバッグ１２０ａ・１２０ｂが膨張展開した状態を上方から観察した状態を例示している。図３および図４は、図１に例示する座席１１０に乗員Ｐが着座し、エアバッグ１２０ａが膨張展開した状態を側方から観察した状態を例示している。
【００２４】
図２（ａ）および（ｂ）に例示するように、乗員Ｐの左右両側方のうち、左側には車体側部１０２が配置されている。したがって、左右一対のエアバッグ１２０ａ・１２０ｂは、左側のエアバッグ１２０ａがニアサイドに位置するエアバッグであり、右側のエアバッグ１２０ｂはファーサイドに位置するエアバッグである。
【００２５】
図２および図３に例示するように、本実施形態の乗員拘束装置１００では、左右一対のエアバッグ１２０ａ・１２０ｂのうち、車体側部１０２に面する左側のエアバッグ１２０ａ（ニアサイドエアバッグ）の内部の後方側の領域にインナバッグ１４０が収容されている。インナバッグ１４０は、エアバッグ１２０ａの内部に収容されているため、エアバッグ１２０ａよりも容量が小さい。このため、エアバッグ１２０ａよりも少ないガス量で膨張展開が完了する。またインナバッグ１４０には、インナベント１４２が形成されている。これにより、エアバッグ１２０ａとインナバッグ１４０とがインナベント１４２において連通する。
【００２６】
車両の衝突を検知すると、インフレータ（不図示）によってインナバッグ１４０にガスが供給される。これにより、インナバッグ１４０は、図２（ａ）に例示するように、エアバッグ１２０ａよりも先に膨張展開が完了する。このとき、インナバッグ１４０がエアバッグ１２０ａの後方側の領域に配置されていることにより、インナバッグ１４０は、エアバッグ１２０ａの内部で乗員Ｐの胴部Ｐ１（図３参照）の側方に膨張展開する。その後、インナバッグ１４０のインナベント１４２からガスが流出し、エアバッグ１２０ａにガスが供給される。これにより、図２（ｂ）に例示するように、エアバッグ１２０ａの膨張展開が完了する。
【００２７】
上記説明したように、本実施形態の乗員拘束装置１００によれば、エアバッグ１２０ａよりも容量の小さいインナバッグ１４０が、エアバッグ１２０ａよりも先に乗員Ｐの胴部Ｐ１の側方に膨張展開する。これにより、衝突時に乗員Ｐの胴部Ｐ１を迅速に拘束することができる。したがって、乗員拘束装置１００において高い乗員拘束性能が得られる。
【００２８】
特に本実施形態では、図３に例示するように、エアバッグ１２０ａの膨張展開時の側面視において、インナバッグ１４０の前端１４０ａは張力布１３０ａと重なる位置に配置される。これにより、張力布１３０ａがインナバッグ１４０を跨がないため、張力布１３０ａがインナバッグ１４０の膨張展開を阻害することがない。したがって、上述した効果が確実に得られる。
【００２９】
なお、本実施形態では、インナバッグ１４０の前端１４０ａは張力布１３０ａと重なる位置に配置される構成を例示したが、これに限定するものではない。例えば、図４に例示するように、インナバッグ１４０の前端１４０ａが張力布１３０ａと重なる位置より後方に配置される構成、すなわち側面視においてインナバッグ１４０と張力布１３０ａとが重ならない構成においても同様の効果を得ることが可能である。
【００３０】
更に本実施形態の乗員拘束装置１００では、図２（ｂ）に例示するように、エアバッグ１２０ａ・１２０ｂが膨張展開すると、張力布１３０ａ・１３０ｂは、座席１１０の表皮を開裂することにより座席１１０の側部に展開する。これにより、張力布１３０ａ・１３０ｂがシートバック１１２からシートクッション１１４まで張り渡され、エアバッグ１２０ａ・１２０ｂそれぞれの乗員Ｐとは反対側の面が張力布１３０ａ・１３０ｂによって保持される。そして、エアバッグ１２０ａ・１２０ｂが張力布１３０ａ・１３０ｂによって乗員Ｐに対して付勢されることにより、エアバッグ１２０ａ・１２０ｂの乗員拘束性能を高めることが可能となる。
【００３１】
（第２実施形態）
図５、図６および図７は、第２実施形態にかかる乗員拘束装置２００を例示する図である。図５（ａ）および（ｂ）は、図１に例示する座席１１０に乗員Ｐが着座し、エアバッグ１２０ａ・１２０ｂが膨張展開した状態を上方から観察した状態を例示している。図６および図７は、図１に例示する座席１１０に乗員Ｐが着座し、エアバッグ１２０ａが膨張展開した状態を側方から観察した状態を例示している。なお、第２実施形態では、第１実施形態と共通の構成要素については、同一の符号を付すことにより説明を省略する。
【００３２】
図５および図６に例示するように、第２実施形態の乗員拘束装置２００では、第１実施形態のインナバッグ１４０に替えて隔壁２４０がエアバッグ１２０ａの内部に設けられている。隔壁２４０は、エアバッグ１２０ａの内部を前後に区画する。以下、エアバッグ１２０ａの内部において、隔壁２４０より前方の空間を前チャンバ１２２と称し、隔壁２４０より後方の空間を後チャンバ１２４と称する。隔壁２４０には、連通孔２４２が形成されている。これにより、前チャンバ１２２と後チャンバ１２４とが連通する。
【００３３】
図６に例示するように、エアバッグ１２０ａの２つのチャンバのうち、後チャンバ１２４は乗員Ｐの胴部Ｐ１の側方に配置される。車両の衝突を検知すると、インフレータ（不図示）によって、エアバッグ１２０ａのうち後チャンバ１２４にガスが供給される。これにより、エアバッグ１２０ａでは、図５（ａ）に例示するように、前チャンバ１２２よりも後チャンバ１２４のほうが先に膨張展開が完了する。
【００３４】
このとき、後チャンバ１２４が乗員Ｐの胴部Ｐ１（図３参照）の側方に膨張展開することにより、衝突時に乗員Ｐの胴部Ｐ１を迅速に拘束することができる。したがって、衝突時、特に側突時に、乗員拘束装置２００において高い乗員拘束性能を得ることが可能となる。
【００３５】
その後、隔壁２４０の連通孔２４２からガスが流出し、前チャンバ１２２にガスが供給される。これにより、図５（ｂ）に例示するように、前チャンバ１２２の膨張展開が完了する。したがって、前チャンバ１２２および後チャンバ１２４、すなわちエアバッグ１２０ａ全体によって乗員Ｐが拘束される。
【００３６】
特に本実施形態では、図６に例示するように、エアバッグ１２０ａの膨張展開時の側面視において、隔壁２４０は張力布１３０ａと重なる位置に配置される。これにより、張力布１３０ａが後チャンバ１２４を跨がないため、張力布１３０ａが後チャンバ１２４の膨張展開を阻害することがない。したがって、上述した効果が確実に得られる。
【００３７】
なお、本実施形態では、隔壁２４０は張力布１３０ａと重なる位置に配置される構成を例示したが、これに限定するものではない。例えば、図７に例示するように、隔壁２４０が張力布１３０ａと重なる位置より後方に配置される構成、すなわち側面視において後チャンバ１２４と張力布１３０ａとが重ならない構成においても同様の効果を得ることが可能である。
【００３８】
上記説明では、第１実施形態の乗員拘束装置１００および第２実施形態の乗員拘束装置２００ともに、ニアサイドに位置する左側のエアバッグ１２０ａがインナバッグ１４０または隔壁２４０を有する構成を例示した。ただし、これに限定するものではなく、ファーサイドに位置するエアバッグや、左右両方のエアバッグにインナバッグ１４０または隔壁２４０を設ける構成とすることも可能である。
【００３９】
図８は、本実施形態の乗員拘束装置の他の例を説明する図である。図８に例示する乗員拘束装置３００は、座席１１０の側部に配置されるケース１１８ａ・１１８ｂを備える。ケース１１８ａは、エアバッグ１２０ａ・１２０ｂを収容するケースであり、ケース１１８ｂは、張力布１３０ａ・１３０ｂを収容するケースである。
【００４０】
図８に例示する乗員拘束装置３００では、エアバッグ１２０ａ・１２０ｂの膨張展開時に、張力布１３０ａ・１３０ｂは、ケース１１８ｂから座席１１０の側部に展開する。このような構成によっても、上述した乗員拘束装置１００と同様の効果を得ることができる。
【００４１】
以上、添付図面を参照しながら本発明の好適な実施例について説明したが、以上に述べた実施形態は、本発明の好ましい例であって、これ以外の実施態様も、各種の方法で実施または遂行できる。特に本願明細書中に限定される主旨の記載がない限り、この発明は、添付図面に示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００４２】
したがって、当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４３】
本発明は、車両の座席に着座した乗員を拘束する乗員拘束装置に利用することができる。
【符号の説明】
【００４４】
Ｐ１…胴部、１００…乗員拘束装置、１０２…車体側部、１１０…座席、１１２…シートバック、１１４…シートクッション、１１６…ヘッドレスト、１１８…カバー、１１８ａ・１１８ｂ…ケース、１２０ａ…エアバッグ、１２０ｂ…エアバッグ、１２２…前チャンバ、１２４…後チャンバ、１３０ａ…張力布、１３０ｂ…張力布、１４０…インナバッグ、１４０ａ…前端、１４２…インナベント、２００…乗員拘束装置、２４０…隔壁、２４２…連通孔、３００…乗員拘束装置、Ｐ…乗員
【図１】
2020080050.tif 000003
【図２】
2020080050.tif 000004
【図３】
2020080050.tif 000005
【図４】
2020080050.tif 000006
【図５】
2020080050.tif 000007
【図６】
2020080050.tif 000008
【図７】
2020080050.tif 000009
【図８】
2020080050.tif 000010
【国際調査報告】
2020080050.tif 000011
2020080050.tif 000012
2020080050.tif 000013
2020080050.tif 000014